(57)【特許請求の範囲】
【請求項１】
調理における煮炊きに伴う湯気や煙等を捕集するフード状の本体内に室内から室外へ向う空気流を形成する排気用ファンと、この排気用ファンに連動し室外の空気を室内へ供給する給気用ファンとを組込んだ給排気機能を有するレンジフードファンであって、
その排気用ファンには微風量での運転を可能とする微風量運転手段を設け、前記給気用ファンには該給気用ファンへの通断電を行なう通断電手段を設け、前記排気用ファンと前記給気用ファンとを運転あるいは停止させる操作スイッチを設け、
前記操作スイッチのオン状態では、前記微風量運転手段は停止し、前記通断電手段は通電動作を行うことにより局所換気となり、前記操作スイッチのオフ状態では、前記微風量運転手段は動作し、前記通断電手段は断電動作を行うことにより定常換気へと移行し、
前記微風量運転手段は、前記排気用ファンのモーターの電圧制限用抵抗器と第１のリレーとから構成され、前記操作スイッチの一方の接点と電源との間に前記第１のリレーの励磁コイルが接続され、前記電圧制限用抵抗器は前記第１のリレーの常閉接点を介して電源に接続されており、
前記通断電手段は、第２のリレーで構成され、前記第２のリレーの励磁コイルは、第１のリレーの励磁コイルと並列に電源に接続され、前記第２のリレーの常開接点が前記給気用ファンのモーターへの給電配線に挿入されている
ことを特徴とするレンジフードファン。
【請求項２】
請求項１に記載のレンジフードファンであって、微風量運転手段の動作状態と停止状態を表示する表示手段を設けたレンジフードファン。
【請求項３】
請求項１又は請求項２のいずれかに記載のレンジフードファンであって、給気用ファンによる気流と排気用ファンによる気流間での熱交換を行なう熱交換器を備えたレンジフードファン。
【発明の詳細な説明】
【０００１】
【発明の属する技術分野】
本発明は、調理における煮炊きに伴う湯気や煙等を捕集するフード内に排気用ファンと、給気用ファンとを組込んだ給排気機能を有するレンジフードファンに関するものであり、特に気密性の高い住居に適したレンジフードファンに関するものである。
【０００２】
【従来の技術】
レンジフードファンは、厨房の空気質の保全又は改善に機能する送風装置であり、基本的には煮炊きをするレンジの上方に取付けられ、レンジ周りで発生する湯気や油煙を捕集してこれらを室外へ排出する局所換気を行なうものである。排気と併行して給気用ファンによって室外の空気を室内へ給気する機能を備えたものもある。こうした、レンジフードファンは、基本的には部屋全体の換気の要請に対しては応じられないものであるため、全体換気には処理風量の大きい軸流ファンによる換気扇が併設される。近年増加傾向にある高気密な住居では、快適な空調環境を空調装置によって維持し、換気についても自然換気に頼らず換気装置の連続運転によって定常的に行なうことが多い。このような空調システムにおける換気の機能を果たす排気専用のレンジフードファンも開発されている。
【０００３】
このレンジフードファンは、排煙等、調理に際して必要な時には通常の局所換気機能を果たし、それ以外の時は微風量での排気運転を行なうようになっている。このレンジフードファンによれば、換気のための換気扇を別に設けなくても、高気密住宅の空調システムにおける換気をレンジフードファンによって実施することができ、空調システムの構成を簡素にすることができる。
【０００４】
【発明が解決しようとする課題】
上記のような従来の定常的な換気機能も果たしうるレンジフードファンにおいては、排気専用であるため、油煙や湯気等の発生が多く大風量での運転をしたりすると、室内が負圧傾向になり隙間風を巻き起したり、ドアや窓の開閉をし難くしたりすることがある。給排気機能を有するレンジフードファンではこうしたことは起らないが、給気機能を備えているため、排気による定常換気も実施できる機能性の高いものは開発されてはおらず、もっぱら局所換気用のものばかりである。
【０００５】
本発明は、上記した従来の問題点を解消するためになされたもので、その課題とするところは、給排気による局所換気も排気のみによる微風量での定常換気も実施できる高気密住宅に適したレンジフードファンを開発することであり、そのレンジフードファンの機能の向上を推進することである。
【０００６】
【課題を解決するための手段】
前記課題を達成するために請求項１の発明は、調理における煮炊きに伴う湯気や煙等を捕集するフード状の本体内に室内から室外へ向う空気流を形成する排気用ファンと、この排気用ファンに連動し室外の空気を室内へ供給する給気用ファンとを組込んだ給排気機能を有するレンジフードファンについて、その排気用ファンには微風量での運転を可能とする微風量運転手段を設け、給気用ファンには該給気用ファンへの通断電を行なう通断電手段を設け、排気用ファンと給気用ファンとを運転あるいは停止させる操作スイッチに対して、微風量運転手段は、操作スイッチのオフ状態で動作し、オン状態では停止し、通断電手段は、操作スイッチのオフ状態で断電動作し、オン状態では通電動作するようにする手段を採用する。
【０００７】
前記課題を達成するために請求項２の発明は、請求項１に係る前記手段における微風量運転手段の動作状態と停止状態を表示する表示手段を設ける手段を採用する。
【０００８】
前記課題を達成するために請求項３の発明は、請求項１又は請求項２のいずれかに係る前記手段における給気用ファンによる気流と排気用ファンによる気流間での熱交換を行なう熱交換器を備える手段を採用する。
【０００９】
前記課題を達成するために請求項４の発明は、請求項１〜請求項３までのいずれかに係る前記手段における微風量運転手段の動作決定と、通断電手段とをリレーにより行なうようにする手段を採用する。
【００１０】
【発明の実施の形態】
次に本発明の実施の形態を図面に基づいて説明する。
図１〜図５に示すこの実施の形態は、全経路にわたり離隔され独立した排気通風路１と給気通風路２とを備えた給排気式のレンジフードファンに関するものである。排気通風路１は、図３に示すように前面が下方ほど室内側に斜めにせり出し、調理における煮炊きに伴う湯気や煙等を捕集するフード状の本体３の下方に大きく開口した開放部４の前側寄りの部分を入口端とし、本体３内に前方から後方に向って形成された排気路５を経て、本体３の背後側の天部６において外部に開口する室外吹出口７を出口端とする一連の通風路である。
【００１１】
給気通風路２は、図１，２に示すように本体３の背後側の天部６において室外吹出口７に並んで外部に開口する室外吸込口８を入口端とし、本体３内に形成された下方から上方に向うＵ字状の給気路９を経て、本体３の前側の天部６において外部に開口した室内吹出口１０を出口端とする一連の通風路である。排気通風路１の室外吹出口７近傍の排気路５中には静圧特性の高い遠心式の排気用ファン１１が組込まれ、排気通風路１にその入口端から出口端へ向う排気流が形成される。給気通風路２の室外吸込口８近傍の給気路９中には静圧特性の高い遠心式の給気用ファン１２が組込まれ、給気通風路２にその入口端から出口端へ向う給気流が形成される。
【００１２】
室外吹出口７と室外吸込口８には、それぞれダクト接続の可能な接続口部品１３が設けられ、これらの接続口部品１３に図４に示すようにダクト１４を接続して室外吹出口７と室外吸込口８とをそれぞれ室外（多くは屋外）へ連絡させることができる。本体３の開放部４には後端を下にしてフィルター１５が斜状に着脱可能に装着されている。また、室内吹出口１０には給気流を前方に導き、本体３の天部６の前部に立設された膜板１６の前面に形成されたグリル開口部１７から室内へ吹出させるためのエアーガイドが設けられている。排気通風路１の排気用ファン１１より上流側の前後方向に通じる排気路５と、給気通風路２の給気用フアン１２より下流側の室内吹出口１０に向う上下方向に通じる給気路９とは、当該部に組込まれた熱交換器１９の一次流体通路２０と二次流体通路２１とによりそれぞれ形成され、給排気流間での連続的な熱交換が可能に構成されている。熱交換器１９は、仕切板の両面に波形板を、互いのその波形が交差するように重ねた積層構造を階層状に複数積層し、排気流を通す一次流体通路２０と給気流を通す二次流体通路２１とが一層置きにほぼ直交する六面体の積層構造体として構成されている。
【００１３】
排気用ファン１１と給気用ファン１２とは、その各モーター２２，２３の主巻線と補助巻線の巻線比率を操作スイッチ２４によって操作することにより風量を強中弱の３段階に調節することが可能である。排気用ファン１１には図５に示すように微風量での運転を可能とする電圧制限用の抵抗器２５とリレー２６による微風量運転手段が設けられ、この微風量運転手段によって中風量運転時の風量の約１０％程度の微風量での運転が可能となっている。微風量運転手段は、操作スイッチ２４の一方の接点と電源スイッチ２７との間にその励磁コイル２８が接続され、その抵抗器２５はこのリレー２６の常閉接点２９を介して電源スイッチ２７に接続されている。即ち、微風量運転手段は操作スイッチ２４の全ての切換スイッチ３０がオフの状態で電源３１と繋がり、切換スイッチ３０のいずれか一つでもオンの状態では電源３１から切り離される。この微風量運転手段のリレー２６の常閉接点２９と並列にランプ等による微風量運転表示手段３２が接続され、微風量運転手段の動作時には微風量運転表示手段３２も表示動作をする。
【００１４】
一方、給気用ファン１２にはそのモーター２３への通断電を行なう通断電手段が設けられている。通断電手段はリレー３３で構成され、そのリレー３３の励磁コイル３４は、微風量運転手段のリレー２６の励磁コイル２８と並列に電源３１に接続され、その常開接点３５がモーター２３への給電配線に挿入されている。操作スイッチ２４の全ての切換スイッチ３０がオフの状態では常開接点３５は開放し、給気用ファン１２のモーター２３は断電され、切換スイッチ３０のいずれか一つでもオンの状態では常開接点３５は閉止しモーター２３への通電が可能になる。
【００１５】
このレンジフードファンは、煮炊きに伴う湯気や油煙等を、操作スイッチ２４の操作により運転させ、フード状の本体３で捕集して排気用ファン１１により室外へ排気することができ、給気用ファン１２により室外の新鮮な空気を室内へ給気することができる。この間、熱交換器１９により給排気流間で連続的な熱交換が行なわれ、室内の状態量の変動を押えた給排気による換気が実施できる。この運転は給排気による局所換気であり、室内を負圧化することはない。
【００１６】
そして、煮炊きに伴う湯気や油煙等を排出する必要がなく、操作スイッチ２４の全ての切換スイッチ３０がオフになると、微風量での排気のみによる定常換気運転に移行する。即ち、切換スイッチ３０がオフになると、常閉接点２９が閉じ微風量運転手段により排気用ファン１１が微風量の運転状態になり、微風量運転表示手段３２が表示動作をする。一方、リレー３３の常開接点３５が開き、給気用ファン１２への通電は断たれ給気は行なわれない。従って、熱交換器１９による熱交換も行なわれない。
【００１７】
このように、このレンジフードファンによれば、高気密住居の空調システムにおける定風量換気を別に換気装置を設けることなく行なうことができ、この種の空調システムの構成を簡素化できる。そして、レンジフードファン本来の局所換気機能は、操作スイッチ２４の操作により随時果たさせることができ、操作スイッチ２４のオフにより微風量での定常換気運転に移行させることができる。また、微風量運転中は微風量運転表示手段３２により状態が表示されるので、例えば清掃後に電源スイッチ２７を入れ忘れたような場合には、それを示すことができるので使い勝手が良い。このように、このレンジフードファンは多機能性があり、機能の移行も速やかで使い易い。
【００１８】
なお、熱交換器１９は冷暖房や煮炊きに伴う熱を回収でき機能性を高め得るが、熱交換器１９を設けなくても微風量運転での定常換気が実施できる給排気式のレンジフードファンを構成することができる。また、操作スイッチ２４は一段階の切換スイッチ３０で構成してもよく、この構成を採用した場合には一つのリレーで、微風量運転手段の常閉接点２９と給気用ファン１２に対する常開接点３５を構成し、動作させることができる。
【００１９】
【発明の効果】
請求項１の発明によれば、給排気による局所換気も排気のみによる微風量での定常換気も実施できる高気密住宅に適したレンジフードファンが得られる。
【００２０】
請求項２の発明によれば、請求項１に係る前記効果とともに微風量運転状態であることが表示され、使い勝手が向上する。
【００２１】
請求項３の発明によれば、請求項１又は請求項２のいずれかに係る前記効果とともに給排気流間での熱交換が可能になり、機能が向上する。
【００２２】
請求項４の発明によれば、請求項１〜請求項３までのいずれかに係る前記効果とともに構成の簡素化が可能になる。
【図面の簡単な説明】
【図１】  実施の形態のレンジフードファンを一部を破断して示す正面図である。
【図２】  実施の形態のレンジフードファンの給気通風路側を示す側断面図である。
【図３】  実施の形態のレンジフードファンの排気通風路側を示す側断面図である。
【図４】  実施の形態のレンジフードファンを取付状態で示す側面図である。
【図５】  実施の形態のレンジフードファンの回路構成図である。
【符号の説明】
１  排気通風路、  ２  給気通風路、  ３  本体、  １１  排気用ファン、  １２  給気用ファン、  １９  熱交換器、  ２４  操作スイッチ、  ２５  抵抗器、  ２６  リレー、  ２９  常開接点、  ３２  微風量運転表示手段、  ３３リレー、  ３５  常閉接点。
【図１】
0004472799.tif 000002
【図２】
0004472799.tif 000003
【図３】
0004472799.tif 000004
【図４】
0004472799.tif 000005
【図５】
0004472799.tif 000006